(57)【要約】  本発明は２板式折畳み扉１６のための持上げ装置１８に関し、上板１２は水平な第１軸線回りに揺動可能にケースの上壁２０または区画壁にヒンジで取付けられ、下板１４は第１軸線に対して平行な第２軸線回りに揺動可能に上板に連結され、持上げ装置１８は少なくとも１本の双腕レバー３４を具備し、このレバー３４は水平枢着軸線回りに揺動可能に側方ケース部分に取付けられ、レバー３４の長い腕は下板１４に枢着連結され、持上げ装置１８は少なくとも１本のヒンジアーム３１を具備し、このヒンジアームは板に枢着連結され、ヒンジアーム３１はそれぞれ、板に設けられたヒンジカップ２８、２９に固定され、ヒンジアーム３１は第１偏心装置４８を介して第１方向にヒンジカップと相対的に調節可能であり、かつ第２偏心装置５０を介して第１方向に対して垂直な他の方向に調節可能である。
2009523937.tif 000002
【特許請求の範囲】
【請求項１】
２板式折畳み扉用の持上げ装置であって、上板が水平な第１軸線回りに揺動可能にケースの上壁または区画壁にヒンジで取付けられ、下板が第１軸線に対して平行な第２軸線回りに揺動可能に上板に連結され、
少なくとも１本の双腕レバーを具備し、このレバーが水平枢着軸線回りに揺動可能に側方ケース部分に取付けられ、レバーの長い腕が下板に枢着連結され、
少なくとも１本のヒンジアームを具備し、このヒンジアームが板を枢着連結し、ヒンジアームがそれぞれ、板に設けられたヒンジカップに固定されている、持上げ装置において、
ヒンジアームが第１偏心装置を介して第１方向にヒンジカップと相対的に調節可能であり、かつ第２偏心装置を介して第１方向に対して垂直な他の方向に調節可能であることを特徴とする２板式折畳み扉用の持上げ装置。
【請求項２】
ヒンジアームが中間プレート内に回転可能に収容された第１偏心装置を介して調節可能であるように、ヒンジアームが少なくとも１本のピンを介して中間プレートに許容差でもって保持されていることを特徴とする請求項１記載の２板式折畳み扉用の持上げ装置。
【請求項３】
ヒンジアームが中間プレートと共に、前記中間プレートを通過する第２偏心装置を介してヒンジカップと相対的に調節可能であることを特徴とする請求項１または２に記載の２板式折畳み扉用の持上げ装置。
【請求項４】
中間プレートが、第２偏心装置を回転可能に保持している支持プレート上で、縦方向に移動可能に案内されていることを特徴とする請求項３記載の２板式折畳み扉用の持上げ装置。
【請求項５】
中間プレートがヒンジカップ内で縦方向に移動可能に案内され、第２偏心装置がこのヒンジカップに回転可能に保持されていることを特徴とする請求項３記載の２板式折畳み扉用の持上げ装置。
【請求項６】
中間プレートが狭いウェブ部分を有し、部分的にＵ字形断面を有するヒンジアームが前記ウェブ部分に上から嵌合していることを特徴とする請求項１〜５のいずれか一つに記載の２板式折畳み扉用の持上げ装置。
【請求項７】
少なくとも１本のピンがウェブ部分から両側に突出し、それによってピンがウェブ部分に対して、嵌合ヒンジアームを横方向に移動支持できるように、ピンがウェブ部分に保持可能であることを特徴とする請求項６記載の２板式折畳み扉用の持上げ装置。
【請求項８】
少なくとも１本のピンがその中央領域に溝削り部を備えていることを特徴とする請求項７記載の２板式折畳み扉用の持上げ装置。
【発明の詳細な説明】
【技術分野】
【０００１】
本発明は、２板式折畳み扉用の持上げ装置であって、上板が水平な第１軸線回りに揺動可能にケースの上壁または区画壁にヒンジで取付けられ、下板が第１軸線に対して平行な第２軸線回りに揺動可能に上板に連結され、少なくとも１本の双腕レバーを具備し、このレバーが水平枢着軸線回りに揺動可能に側方ケース部分に取付けられ、レバーの長い腕が下板に枢着連結され、少なくとも１本のヒンジアームを具備し、このヒンジアームが板を枢着連結し、ヒンジアームがそれぞれ、板に設けられたヒンジカップに固定されている、持上げ装置である、２板式折畳み扉用の持上げ装置に関する。
【背景技術】
【０００２】
２板式折畳み扉用の持上げ装置は特許文献１によって知られている。上板は水平な第１軸線回りに揺動可能に戸棚の上壁または区画壁にヒンジで取付けられ、下板は第１軸線に対して平行な第２軸線回りに揺動可能に上板に連結されている。持上げ装置は少なくとも１本の双腕レバーを具備し、このレバーは水平軸線回りに揺動可能に側方ケース部分に取付けられ、レバーの長い腕は下板にヒンジで連結されている。更に、圧縮ばね部材が設けられている。この圧縮ばね部材の一端はケース部分に枢着され、他端は短いレバー腕に枢着されている。
【０００３】
公知の折畳み扉は人がハンドルを掴むことによって開放される。このハンドルは図示されていないが、必須であり、下板に連結されている。このハンドルは下板の下側エッジから特別な間隔を有していなければならない。
【０００４】
折畳み扉の開放のためのハンドルを必要とせずに、下板の下側エッジを引っ張るだけで折畳み扉の開放を可能にする、上記の種類の持上げ装置を提供する必要性がある。
【０００５】
２板式折畳み扉のための持上げ装置はドイツ国実用新案の特許文献２によって知られている。この特許文献は２板式折畳み扉のための持上げ装置であって、上板が水平な第１軸線回りに揺動可能にケースの上壁または区画壁にヒンジで取付けられ、下板が第１軸線に対して平行な第２軸線回りに揺動可能に上板に連結され、少なくとも１本の双腕レバーを具備し、このレバーが水平枢着軸線回りに揺動可能に側方ケース部分に取付けられ、レバーの長い腕が下板に枢着連結され、少なくとも１本のヒンジアームを具備し、このヒンジアームが板を枢着連結し、ヒンジアームがそれぞれ、板に設けられたヒンジカップに固定されているという特徴を開示している。
【０００６】
この文献に記載された２板式折畳み扉のための持上げ装置はヒンジを備え、このヒンジは、一方の板に挿入可能なヒンジカップと、２枚の板を連結するために他方の板に固定可能なヒンジアームとを備えている。
【０００７】
この実用新案で示された一つの実施の形態では、ヒンジアームが両板において、それぞれ板に設けられたヒンジカップ内のピンに連結され、それによって扉の２枚の板が非常にコンパクトで省スペース形態で互いに枢着連結されている。他の実施の形態では、ヒンジアームが一方ではヒンジカップにおいて一方の板に連結され、他方では通常の４リンクヒンジの形態で他の板に連結されている。
【０００８】
通常の４リンクヒンジの使用により、三次元方向の調節が可能であるので、板は適当な調節によって互いに相対的におよび家具１点のケースと相対的に三次元で調節可能である。ヒンジアームが各端部でヒンジカップに支持されている実施の形態では、異なる座標方向でのこのような調節は不可能である。
【０００９】
【特許文献１】ＤＥ  ２０１  ００  ６６２  Ｕ１
【特許文献２】ＤＥ  ２０  ２００５  ０１６  ４０５
【発明の開示】
【発明が解決しようとする課題】
【００１０】
そこで、本発明の課題は、２板式折畳み扉用の持上げ装置であって、上板が水平な第１軸線回りに揺動可能にケースの上壁または区画壁にヒンジで取付けられ、下板が第１軸線に対して平行な第２軸線回りに揺動可能に上板に連結され、少なくとも１本の双腕レバーを具備し、このレバーが水平枢着軸線回りに揺動可能に側方ケース部分に取付けられ、レバーの長い腕が下板に枢着連結され、少なくとも１本のヒンジアームを具備し、このヒンジアームが板を枢着連結し、ヒンジアームがそれぞれ、板に設けられたヒンジカップに固定されている、持上げ装置において、各端部でヒンジカップに支持されたヒンジが、板の横方向位置合わせと相互間隔調節を可能にする２つの座標方向の調節手段を備えることができるように、発展形成された持上げ装置を提供することにある。
【課題を解決するための手段】
【００１１】
上記課題は以下の各発明によって解決される。
【００１２】
（請求項１）
２板式折畳み扉用の持上げ装置であって、上板が水平な第１軸線回りに揺動可能にケースの上壁または区画壁にヒンジで取付けられ、下板が第１軸線に対して平行な第２軸線回りに揺動可能に上板に連結され、少なくとも１本の双腕レバーを具備し、このレバーが水平枢着軸線回りに揺動可能に側方ケース部分に取付けられ、レバーの長い腕が下板に枢着連結され、少なくとも１本のヒンジアームを具備し、このヒンジアームが板を枢着連結し、ヒンジアームがそれぞれ、板に設けられたヒンジカップに固定されている、持上げ装置において、ヒンジアームが第１偏心装置を介して第１方向にヒンジカップと相対的に調節可能であり、かつ第２偏心装置を介して第１方向に対して垂直な他の方向に調節可能であることを特徴とする２板式折畳み扉用の持上げ装置。
【００１３】
（請求項２）
ヒンジアームが中間プレート内に回転可能に収容された第１偏心装置を介して調節可能であるように、ヒンジアームが少なくとも１本のピンを介して中間プレートに許容差でもって保持されていることを特徴とする請求項１記載の２板式折畳み扉用の持上げ装置。
【００１４】
（請求項３）
ヒンジアームが中間プレートと共に、前記中間プレートを通過する第２偏心装置を介してヒンジカップと相対的に調節可能であることを特徴とする請求項１または２に記載の２板式折畳み扉用の持上げ装置。
【００１５】
（請求項４）
中間プレートが、第２偏心装置を回転可能に保持している支持プレート上で、縦方向に移動可能に案内されていることを特徴とする請求項３記載の２板式折畳み扉用の持上げ装置。
【００１６】
（請求項５）
中間プレートがヒンジカップ内で縦方向に移動可能に案内され、第２偏心装置がこのヒンジカップに回転可能に保持されていることを特徴とする請求項３記載の２板式折畳み扉用の持上げ装置。
【００１７】
（請求項６）
中間プレートが狭いウェブ部分を有し、部分的にＵ字形断面を有するヒンジアームが前記ウェブ部分に上から嵌合していることを特徴とする請求項１〜５のいずれか一つに記載の２板式折畳み扉用の持上げ装置。
【００１８】
（請求項７）
少なくとも１本のピンがウェブ部分から両側に突出し、それによってピンがウェブ部分に対して、嵌合ヒンジアームを横方向に移動支持できるように、ピンがウェブ部分に保持可能であることを特徴とする請求項６記載の２板式折畳み扉用の持上げ装置。
【００１９】
（請求項８）
少なくとも１本のピンがその中央領域に溝削り部を備えていることを特徴とする請求項７記載の２板式折畳み扉用の持上げ装置。
【発明の効果】
【００２０】
本発明によると、２板式折畳み扉用の持上げ装置であって、上板が水平な第１軸線回りに揺動可能にケースの上壁または区画壁にヒンジで取付けられ、下板が第１軸線に対して平行な第２軸線回りに揺動可能に上板に連結され、少なくとも１本の双腕レバーを具備し、このレバーが水平枢着軸線回りに揺動可能に側方ケース部分に取付けられ、レバーの長い腕が下板に枢着連結され、少なくとも１本のヒンジアームを具備し、このヒンジアームが板を枢着連結し、ヒンジアームがそれぞれ、板に設けられたヒンジカップに固定されている、持上げ装置において、各端部でヒンジカップに支持されたヒンジが、板の横方向位置合わせと相互間隔調節を可能にする２つの座標方向の調節手段を備えることができるように、発展形成された持上げ装置を提供することができる。
【発明を実施するための最良の形態】
【００２１】
以下に、本発明の実施の形態について説明する。
【００２２】
２板式折畳み扉用の持上げ装置であって、上板が水平な第１軸線回りに揺動可能にケースの上壁または区画壁にヒンジで取付けられ、下板が第１軸線に対して平行な第２軸線回りに揺動可能に上板に連結され、少なくとも１本の双腕レバーを具備し、このレバーが水平枢着軸線回りに揺動可能に側方ケース部分に取付けられ、レバーの長い腕が下板に枢着連結され、少なくとも１本のヒンジアームを具備し、このヒンジアームが板を枢着連結し、ヒンジアームがそれぞれ、板に設けられたヒンジカップに固定されている、持上げ装置において、各端部でヒンジカップに支持されたヒンジが、板の横方向位置合わせと相互間隔調節を可能にする２つの座標方向の調節手段を備えることができるように、発展形成された持上げ装置は、請求項１の特徴の組み合わせによって解決される。ヒンジアームは第１偏心装置を介して第１方向に一方のヒンジカップと相対的に調節可能であり、かつ第２偏心装置を介して第１方向に対して垂直な他の方向に調節可能である。
【００２３】
本発明の特別な実施形態は請求項１に続く従属請求項から明らかである。
【００２４】
ヒンジアームが中間プレート内に回転可能に収容された第１偏心装置を介して調節可能であるように、ヒンジアームは少なくとも１本のピンを介して中間プレートに許容差でもって保持可能である。中間プレートはヒンジアームとヒンジアームを固定するヒンジカップとの間にあり、前記中間プレートはヒンジカップ上で関節軸線に対して垂直に移動可能に案内され、ヒンジアームは中間プレート上で第２偏心装置または他の固定手段によって、セット可能な相対位置、すなわち固定された相対位置で、枢着軸線に対して平行に移動可能である。
【００２５】
ヒンジアームは中間プレートと共に、前記中間プレートを通過する第２偏心装置を介してヒンジカップと相対的に調節可能である。
【００２６】
中間プレートは、偏心装置を回転可能に保持している支持プレート上で、縦方向に移動可能に案内可能である。これは、その他の点では標準的に形成されたヒンジカップ内への支持プレートの分離挿入を可能にする。
【００２７】
その代わりに、中間プレートは、第２偏心装置を回転可能に保持しているヒンジカップ内で縦方向に移動可能に案内可能である。この実施形態では支持プレートが省略されている。
【００２８】
他の好ましい実施形態に従って、中間プレートは狭いウェブ部分を有し、部分的にＵ字形断面を有するヒンジアームがウェブ部分に上から嵌合している。
【００２９】
少なくとも１本のピンがウェブ部分から両側に突出し、それによってピンがウェブ部分に対して、嵌合ヒンジアームを横方向に移動支持できるように、ピンがウェブ部分に保持可能である。
【００３０】
少なくとも１本のピンはその中央領域に、組立を容易にするための溝削り部を備えている。ピンの溝削り部は中間プレートのウェブ部分に挿入可能であり、摩擦ロックを行う。
【００３１】
本発明の他の詳細、効果および特徴は、図に示した実施の形態から明らかになる。
【００３２】
図１は、家具１点、すなわち例えばクローゼット要素またはドレッサー要素のケースの側面図である。この家具の開口は折畳み扉１６によって閉鎖されている。この折畳み扉は互いに枢着連結された２枚の板１２、１４からなっている。図示では、折畳み扉のための持上げ装置１８が見えるようにするために、前側の側壁は取り外してある。折畳み扉１６の上板１２は普通の方法で２個の２リンクヒンジ２２によって、ケースの上壁２０に枢着されている。それによって、上記の折畳み扉はヒンジ２０によって形成された関節軸線回りに揺動可能である。
【００３３】
下板１４は他のヒンジ２６を介して上板１２に枢着連結されている。関節２６のヒンジカップ２８が下板１４に挿入されている。ヒンジ２６のヒンジカップ２９が上板１２に挿入されている。ヒンジ２６は枢着軸線を形成し、この枢着軸線回りに折畳み扉の２枚の板１２，１４が相対的に揺動可能である。
【００３４】
持上げ装置１８は特許文献１（ＤＥ２０１００６６２Ｕ）によって既に知られている方法で双腕レバー３４を備えている。レバー３４は取付け金具３６を備えた枢着個所３８を形成している。図１から明らかなように、取付け金具は下板１４に連結されている。枢着個所３８は同様に水平枢着軸線を形成している。この枢着軸線は簡単化するために３８によって示してある。他の枢着軸線４０がレバー３４の上側枢着個所によって形成されている。自由端をケースに枢着したガス圧縮ばね４２は、レバー３４の短い腕に作用している。
【００３５】
折畳み扉１６は図２に開放位置が示してある。板１２、１４はケースに自由にアクセスできるように上方に揺動している。
【００３６】
ヒンジ２６の構造と機能について、図３〜６に関連して詳細に説明する。
【００３７】
ヒンジアーム３１はピン３２（図４参照）によって第１ヒンジカップ２８に揺動可能に連結されている。反対側の端領域において、ヒンジアーム３１は２本のピン４４を介して中間プレート４５に横方向に移動可能に連結されている。溝削り部を有するピン４４の中央領域は、中間プレート４５の狭いウェブ部分４７の穴４６内に保持され、それによって横方向端部はスピゴットのように穴から突出している。中間プレート４５上でのヒンジアーム３１の横方向移動は、偏心装置４８によって行われる。この偏心装置はウェブ部分４７の穴４９を通過し、ウェブ部分にリベット止めされている。
【００３８】
図示した実施の形態では、中間プレート４５が分離して設けられた支持プレート５１を介して案内されている。この支持プレートは２本のピン５２、５３によってヒンジカップ２９に固定されている。ヒンジカップ２９は慣用の方法で鋼からなっている。ヒンジカップ２９における偏心装置５０の直接的な固定は、錫のダイカストでは、一層複雑でおよび／またはコストのかかる設計を必要とするであろう。
【００３９】
偏心装置５０は支持プレート５１の穴５４内に保持され、支持プレートにリベット止めされている。中間プレート４５は横方向縁部５５を有し、それによって支持プレート５１をＵ字形に被覆している。縁部は細長い穴５６を有し、この穴を介して中間プレート４５はピン５２、５３によってヒンジカップ２９に保持され、そしてこのピン５２、５３および下側の溝５９によって形成されたガイドによって縦方向に移動可能である。この下側の溝は支持プレート５１の上面によって部分的に取り囲まれている（図５参照）。
【００４０】
ヒンジアーム３１と中間プレート４５はそれぞれ、偏心装置４８、５０の頭のための切り込み５７、５８を通常の方法で備えている。
【図面の簡単な説明】
【００４１】
【図１】持上げ装置の実施の形態の側面図（持上げ装置に連結された折畳み扉は閉鎖位置にある。）
【図２】本発明の持上げ装置の開放位置にある折畳み扉を示した図
【図３】折畳み扉の板を互いに連結するヒンジの平面図
【図４】図３のヒンジに沿った縦断面図
【図５】図４のＶ−Ｖ線に沿った断面図
【図６】図３のヒンジの個々の部品を示す分解図
【符号の説明】
【００４２】
１２：板（上板）
１４：板（下板）
１６：折畳み扉
１８：持上げ装置
２０：ケースの上壁
２２：リンクヒンジ
２６：ヒンジ
２８：ヒンジカップ
２９：ヒンジカップ
３１：ヒンジアーム
３２、５２、５３：ピン
３４：レバー（双腕レバー）
３６：取付け金具
３８：枢着個所
４０：枢着軸線
４２：ガス圧縮ばね
４４：ピン
４５：中間プレート
４６、４９、、５４、５６：穴
４７：ウェブ部分
４８：（第１）偏心装置
５０：（第２）偏心装置
５１：支持プレート
５５：横方向縁部
５７、５８：切り込み
５９：溝
【図１】
2009523937.tif 000003
【図２】
2009523937.tif 000004
【図３】
2009523937.tif 000005
【図４】
2009523937.tif 000006
【図５】
2009523937.tif 000007
【図６】
2009523937.tif 000008
【国際調査報告】
2009523937.tif 000009
2009523937.tif 000010
2009523937.tif 000011
2009523937.tif 000012